(57)【要約】【課題】防火性を向上するとともに利便性を向上できる建築用壁材を提供する。【解決手段】建築用建材１０は、複数の貫通孔２１ａを有する第１ボード２１と、第１ボード２１の一面に固着して貫通孔２１ａを覆って塞ぐ第２ボード２２と、第１ボード２１と第２ボード２２との間に配される配線２３とを備え、配線２３が周部に設けられて電源に接続される第１端子部２３ａと、貫通孔２１ａに対応する位置に設けられるとともに貫通孔２１ａに取り付けられた電気器具に接続される第２端子部２３ｂとを有する。【選択図】図３
2012120283.tif 000002
【特許請求の範囲】
【請求項１】
複数の貫通孔を有する第１ボードと、前記第１ボードの一面に固着して前記貫通孔を覆って塞ぐ第２ボードと、前記第１ボードと前記第２ボードとの間に配される配線とを備え、前記配線は、周部に設けられて電源に接続される第１端子部と、前記貫通孔に対応する位置に設けられるとともに前記貫通孔に取り付けられた電気器具に接続される第２端子部とを有することを特徴とする建築用壁材。
【請求項２】
前記第１端子部を周部の少なくとも２辺に設け、隣接する建築用壁材の第１端子部と接続可能にしたことを特徴とする請求項１に記載の建築用壁材。
【請求項３】
前記第１ボード及び前記第２ボードを平面視矩形に形成し、前記第１端子部を対向する２辺に設けるとともに中心に対して非対称な位置に配置したことを特徴とする請求項２に記載の建築用壁材。
【請求項４】
請求項１〜請求項３のいずれかに記載の建築用壁材と、光源を有するとともに前記貫通孔に嵌合して前記第２端子部に接続される照明部とを備えたことを特徴とする照明装置。
【請求項５】
隣接する前記貫通孔に挿入された前記照明部の間から前記第１ボードの表面が露出するとともに前記照明部が前記第１ボードの表面から突出することを特徴とする請求項４に記載の照明装置。
【請求項６】
前記光源がＬＥＤから成ることを特徴とする請求項４または請求項５に記載の照明装置。
【発明の詳細な説明】
【技術分野】
【０００１】
本発明は、天井壁や間仕切り壁に用いる建築用壁材に関し、特に、電気器具が取り付けられる建築用壁材に関する。また本発明は、建築用壁材を備えた照明装置に関する。
【背景技術】
【０００２】
電気器具が取り付けられる従来の建築用壁材は特許文献１に開示されている。この建築用壁材は室内の壁面に組み込まれるパネル状に形成され、前後方向に貫通する複数の貫通孔が設けられる。各貫通孔はマトリクス状に配置され、隣接する貫通孔は周面に設けた連通孔を介して連通する。
【０００３】
所望位置の貫通孔にはコンセントやスイッチ等の電気器具を有するブロックが挿入される。電気器具の不要な位置の貫通孔にはダミーブロックが挿入される。電気器具に接続される配線は連通孔に挿通され、商用電源から電力供給される。これにより、所望位置に電気器具を設置することができるとともに、ブロックを入れ替えることによって電気器具の配置を容易に変更することができる。
【先行技術文献】
【特許文献】
【０００４】
【特許文献１】特開２００５−３２８６１２号公報（第３頁−第５頁、第１図）
【発明の概要】
【発明が解決しようとする課題】
【０００５】
しかしながら、上記従来の建築用壁材によると、貫通孔が建築用壁材を貫通するため、火災が発生した際に貫通孔を介して隣接する部屋等に類焼する危険がある。このため、防火性が低い問題があった。また、電気器具を有するブロックの設置位置に応じて挿通孔に配線を通す煩雑な作業を必要とし、利便性が悪い問題があった。
【０００６】
本発明は、防火性を向上するとともに利便性を向上できる建築用壁材及びそれを用いた照明装置を提供することを目的とする。
【課題を解決するための手段】
【０００７】
上記目的を達成するために本発明の建築用壁材は、複数の貫通孔を有する第１ボードと、前記第１ボードの一面に固着して前記貫通孔を覆って塞ぐ第２ボードと、前記第１ボードと前記第２ボードとの間に配される配線とを備え、前記配線は、周部に設けられて電源に接続される第１端子部と、前記貫通孔に対応する位置に設けられるとともに前記貫通孔に取り付けられた電気器具に接続される第２端子部とを有することを特徴としている。
【０００８】
この構成によると、建築用壁材は第１ボードと第２ボードとが配線を挟んで固着され、天井壁や間仕切り壁等の壁面に一または複数の建築用壁材が敷設される。建築用壁材の周部に設けられた第１端子部には電源が接続される。第１ボードに設けた貫通孔の一面が第２ボードにより塞がれ、貫通孔に対応する位置に配した第２端子部に電気器具を接続可能になっている。
【０００９】
また本発明は、上記構成の建築用壁材において、前記第１端子部を周部の少なくとも２辺に設け、隣接する建築用壁材の第１端子部と接続可能にしたことを特徴としている。この構成によると、壁面に敷設した複数の建築用壁材の少なくとも２辺に第１端子部が設けられ、隣接した建築用壁材の第１端子部と接続される。これにより、複数の建築用壁材の配線が導通する。
【００１０】
また本発明は、上記構成の建築用壁材において、前記第１ボード及び前記第２ボードを平面視矩形に形成し、前記第１端子部を対向する２辺に設けるとともに中心に対して非対称な位置に配置したことを特徴としている。この構成によると、建築用壁材を１８０゜回転すると隣接する建築用壁材との間で第１端子部の位置が合わないため、建築用壁材を連結する方向が一意に決められる。これにより、第１端子部の正極と負極とを逆に接続することを防止できる。
【００１１】
また本発明の照明装置は、上記構成の建築用壁材と、光源を有するとともに前記貫通孔に嵌合して前記第２端子部に接続される照明部とを備えたことを特徴としている。この構成によると、建築用壁材の所望位置の貫通孔に照明部が挿通され、照明部が第２端子部に接続される。商用電源の電力供給により照明部の光源が発光して照明が行われる。
【００１２】
また本発明は、上記構成の照明装置において、隣接する前記貫通孔に挿入された前記照明部の間から前記第１ボードの表面が露出するとともに前記照明部が前記第１ボードの表面から突出することを特徴としている。この構成によると、隣接する照明部の前面位置が建築用壁材の厚み方向にばらついても目立たない。また、建築用壁材の乾燥による収縮によって隣接する照明部間の距離が不均一に変化しても目立たない。このため、照明装置の美感を向上することができる。
【００１３】
また本発明は、上記構成の照明装置において、前記光源がＬＥＤから成ることを特徴としている。
【発明の効果】
【００１４】
本発明の建築用壁材によると、第１ボードに設けた貫通孔が第２ボードにより覆って塞がれるので、貫通孔を介した類焼を防止して防火性を向上することができる。また、第１ボードと第２ボードとの間に配される配線の第１端子部が周部に配されて第２端子部が各貫通孔に対応する位置に設けられるので、所望の貫通孔内に容易に電気器具を設置することができ、利便性を向上することができる。
【００１５】
また本発明の照明装置によると、第２端子部を配した所望の貫通孔内に照明部を挿入し、任意の位置で発光する照明装置を容易に実現することができる。
【図面の簡単な説明】
【００１６】
【図１】本発明の第１実施形態の建築用壁材を備えた照明装置を示す斜視図
【図２】本発明の第１実施形態の建築用壁材を備えた照明装置を示す平面図
【図３】本発明の第１実施形態の建築用壁材を備えた照明装置を示す分解斜視図
【図４】本発明の第１実施形態の一の建築用壁材を示す平面図
【図５】本発明の第１実施形態の一の建築用壁材を示す側面図
【図６】本発明の第１実施形態の他の建築用壁材を示す平面図
【図７】本発明の第１実施形態の他の建築用壁材を示す側面図
【図８】本発明の第１実施形態の建築用壁材の連結状態を示す側面断面図
【図９】本発明の第１実施形態の建築用壁材の他の連結状態を示す側面断面図
【図１０】本発明の第１実施形態の照明装置の構成を示すブロック図
【図１１】本発明の第２実施形態の建築用壁材を備えた照明装置を示す平面図
【図１２】本発明の第２実施形態の建築用壁材を示す平面図
【図１３】本発明の第２実施形態の建築用壁材を示す側面図
【図１４】本発明の第３実施形態の建築用壁材を備えた照明装置を示す平面図
【図１５】本発明の第３実施形態の他の建築用壁材を示す平面図
【図１６】本発明の第３実施形態の更に他の建築用壁材を示す平面図
【図１７】本発明の第３実施形態の照明装置の構成を示すブロック図
【図１８】本発明の第４実施形態の建築用壁材を備えた照明装置を示す平面図
【図１９】本発明の第５実施形態の建築用壁材を備えた照明装置を示す平面図
【発明を実施するための形態】
【００１７】
以下に本発明の実施形態を図面を参照して説明する。図１、図２は第１実施形態の建築用壁材１０を備えた照明装置１を示す斜視図及び平面図である。屋内の天井に設けられる野縁９には平面視略矩形の複数の建築用壁材１０がマトリクス状に敷設して固着され、天井壁が形成される。複数の建築用壁材１０を敷設して屋内の間仕切り壁や建物の外壁の内面を形成してもよい。
【００１８】
建築用壁材１０は電力供給用の配線２３を有し、配線２３のパターンが異なる２種類の建築用壁材１１、１２を隣接して一方向（図２の左右方向）に連結される。照明装置１は建築用壁材１１、１２の連結方向の一端に配されるコネクタ部２を有している。コネクタ部２は商用電源に接続され、コネクタ部２から建築用壁材１０に電力が供給される。
【００１９】
図３は建築用壁材１０の分解斜視図を示している。建築用壁材１０は複数の貫通孔２１ａを開口する第１ボード２１の一面に第２ボード２２を接着剤等により固着して形成される。貫通孔２１ａの一方の開口面は第２ボード２２によって覆われて塞がれる。第１ボード２１及び第２ボード２２は耐火性の高い石膏ボード等により形成される。
【００２０】
第１ボード２１と第２ボード２２との間には電力供給用の配線２３が配される。配線２３は第１ボード２１または第２ボード２２に貼着される導電性テープや、第１ボード２１または第２ボード２２に凹設した溝に埋設されるワイヤ等により形成される。
【００２１】
配線２３には第１端子部２３ａ及び第２端子部２３ｂが設けられる。第１端子部２３ａは建築用壁材１０の周部に配され、隣接する建築用壁材１０の第１端子部２３ａやコネクタ部２（図２参照）に接続される。第２端子部２３ｂは各貫通孔２１ａから露出して配される。尚、配線２３は正極及び負極を形成するように一対の導体から成っている。
【００２２】
貫通孔２１ａには光源６（図１０参照）を有する照明部３が嵌合して挿入される。照明部３には第２端子２３ｂに接する端子（不図示）が設けられ、光源６に電力供給して屋内の照明を行う。従って、少なくとも一部の建築用壁材１０に照明部３を装着して照明装置１が形成される。
【００２３】
尚、照明部３は所望の位置の貫通孔２１ａに設置すればよく、照明部３が設置されない貫通孔２１ａにはダミーブロック８が挿入される。また、第２端子部２３ｂを磁石により形成してもよい。これにより、照明部３の端子を容易に接続することができる。
【００２４】
図４、図５は建築用壁材１１の平面図及び側面図を示している。また、図６、図７は建築用壁材１２の平面図及び側面図を示している。図４及び図６において、配線２３を破線で示すべきであるが、理解を容易にするため配線２３を実線（太線）で示している。
【００２５】
建築用壁材１１の第１ボード２１は平面視正方形（例えば、９００ｍｍ×９００ｍｍ）に形成される。第２ボード２２は第１ボード２１に対して一方向に長い平面視矩形に形成される。これにより、建築用壁材１１の図中、左右端には第１ボード２１に対して第２ボード２２が突出した段差部１１ａが形成される。
【００２６】
建築用壁材１１の配線２３は一対の導体をＳ字状に配して形成され、第１端子部２３ａが対向する段差部１１ａの表面にそれぞれ形成される。この時、建築用壁材１１の対向する二辺に沿って設けられる両方の第１端子部２３ａは建築用壁材１１の中心点に対して非対称に配置される。
【００２７】
建築用壁材１２の第１ボード２１は平面視正方形（例えば、９００ｍｍ×９００ｍｍ）に形成される。第２ボード２２は第１ボード２１に対して一方向に短い平面視矩形に形成される。これにより、建築用壁材１２の図中、左右端には第２ボード２２に対して第１ボード２１が突出した段差部１２ａが形成される。
【００２８】
建築用壁材１２の配線２３は一対の導体を逆Ｓ字状に配して形成され、第１端子部２３ａが対向する段差部１２ａの表面にそれぞれ形成される。この時、建築用壁材１２の対向する二辺に沿って設けられる両方の第１端子部２３ａは建築用壁材１２の中心点に対して非対称に配置される。
【００２９】
図８は建築用壁材１１、１２を連結した状態を示す側面断面図である。建築用壁材１１、１２は段差部１１ａ上に段差部１２ａを配置して連結される。建築用壁材１１、１２の周面には互いに嵌合する凹凸部１０ａが形成され、建築用壁材１１、１２が厚み方向に位置決めされる。
【００３０】
尚、図９に示すように、凹凸部１０ａを省いてもよい。この時、建築用壁材１１、１２の厚み方向の位置決めは段差部１１ａ、１２ａの当接により行ってもよい。また、段差部１１ａ、１２ａの夫々が対向する位置に厚み方向に所定の高さの凹凸部を形成してもよい。この場合は、建築用壁材１１、１２を連結すると同時に位置決めも行われる。
【００３１】
段差部１１ａ、１２ａが接することにより、建築用壁材１１の第１端子部２３ａと建築用壁材１２の第１端子部２３ａとが導通する。これにより、前述の図２において左右方向に連結された建築用壁材１１、１２の各第２端子部２３ｂが導通する。
【００３２】
尚、貫通孔２１ａに挿入される照明部３及びダミーブロック８（図３参照）は第１ボード２１の表面から突出するように配される。また、隣接する貫通孔２１ａに挿入される照明部３及びダミーブロック８の間から第１ボード２１の表面が露出する。これにより、隣接する照明部３やダミーブロック８の前面位置が建築用壁材１０の厚み方向にばらついても目立たなくすることができる。また、建築用壁材１０の乾燥による収縮によって隣接する照明部３やダミーブロック８間の距離が不均一に変化しても目立たなくすることができる。従って、照明装置１の美感を向上することができる。
【００３３】
図１０は照明装置１の構成を示すブロック図である。コネクタ部２にはインターフェース７及びＡＣ−ＤＣコンバータ４が設けられる。インターフェース７はコンセントプラグや端子台等により形成され、商用電源に接続される。ＡＣ−ＤＣコンバータ４はインターフェース７に接続され、商用電源をＤＣ電源に変換する。
【００３４】
コネクタ部２には建築用壁材１０の第１端子部２３ａが接続される複数の端子（不図示）が設けられ、複数の建築用壁材１０が接続される。また、コネクタ部２に接続された建築用壁材１０には他の建築用壁材１０が第１端子部２３ａを介して連結される。即ち、第１端子部２３ａはコネクタ部２を介して直接的または他の建築用壁材１０を介して間接的に電源に接続される。これにより、マトリクス状に配した各建築用壁材１０の照明部３には第２端子部２３ｂを介して電力が供給される。
【００３５】
照明部３には定電流回路５及び光源６が設けられる。光源６はＬＥＤにより形成され、定電流回路５により供給された電流値に応じて発光する。これにより、照明装置１によって建築用壁材１０を敷設した壁面から照明が行われる。
【００３６】
本実施形態によると、第１ボード２１に設けた貫通孔２１ａが第２ボード２２により覆って塞がれるので、貫通孔２１ａを介した類焼を防止して防火性を向上することができる。また、第１ボード２１と第２ボード２２との間に配される配線２３の第１端子部２３ａが周部に露出して配され、第２端子部２３ｂが各貫通孔２１ａに対応する位置に配されて各貫通孔２１ａから露出する。これにより、所望の貫通孔２１ａ内に容易に照明部３を設置して接続することができ、利便性を向上することができる。
【００３７】
また、第２端子部２３ｂが露出した所望の貫通孔２１ａ内に照明部３を挿入し、所望の位置から発光して照明を行う照明装置１を容易に実現することができる。
【００３８】
また、第１端子部２３ａを建築用壁材１０の周部の２辺に沿って設け、隣接する建築用壁材１０の第１端子部２３ａと接続可能にしたので、敷設された複数の建築用壁材１０に電力を容易に供給することができる。尚、建築用壁材１０は平面視矩形に限らず、平面視三角形や平面視六角形等の他の多角形でもよい。また、第１端子部２３ａは建築用壁材１０の周部の少なくとも２辺に沿って設けられていれば隣接する建築用壁材１０の第１端子部２３ａに接続することができる。
【００３９】
また、第１ボード２１及び第２ボード２２を平面視矩形に形成し、第１端子部２３ａを対向する２辺に設けるとともに中心に対して非対称な位置に配置したので、建築用壁材１０を容易に敷設することができる。また、建築用壁材１０を１８０゜回転すると隣接する建築用壁材１０との間で第１端子部２３ａの位置が合わないため、建築用壁材１０を連結する方向が一意に決められる。これにより、第１端子部２３ａの正極と負極とを逆に接続することを防止できる。
【００４０】
また、隣接する貫通孔２１ａに挿入された照明部３の間から第１ボード２１の表面が露出し、照明部３が第１ボード２１の表面から突出するので、隣接する照明部３の前面位置が建築用壁材１０の厚み方向にばらついても目立たなくすることができる。また、建築用壁材１０の乾燥による収縮によって隣接する照明部３間の距離が不均一に変化しても目立たなくすることができる。このため、照明装置１の美感を向上することができる。
【００４１】
また、光源６がＬＥＤから成るので、照明部３を薄型に形成することができる。
【００４２】
次に、図１１は第２実施形態の建築用壁材１０を備えた照明装置１を示す平面図である。説明の便宜上、前述の図１〜図１０に示す第１実施形態と同一の部分は同一の符号を付している。本実施形態の建築用壁材１０は第１実施形態の建築用壁材１１、１２に対して配線２３のパターンが異なる建築用壁材１３により形成される。その他の部分は第１実施形態と同様である。
【００４３】
照明装置１は同じパターンの配線２３を有する建築用壁材１３が一方向（左右方向）に連結され、建築用壁材１３の連結方向の一端にコネクタ部２が配される。
【００４４】
図１２、図１３は建築用壁材１３の平面図及び側面図を示している。図１２において、配線２３を破線で示すべきであるが、理解を容易にするため配線２３を実線（太線）で示している。建築用壁材１３の第１、第２ボード２１、２２は平面視正方形（例えば、９００ｍｍ×９００ｍｍ）に形成され、第１ボード２１に対して第２ボード２２が一方向にずれて配置される。これにより、建築用壁材１３の図中、左右端には第１、第２ボード２１、２２の一方が他方に対して突出した段差部１３ａが形成される。
【００４５】
建築用壁材１３の配線２３は段差部１３ａから貫通孔２１ａの形成領域の外側で平行に延びた一対の導体がそれぞれ垂直方向に分岐して各貫通孔２１ａに沿って配される。そして、第１端子部２３ａの正極及び負極が両方の段差部１３ａの表面に形成される。これにより、建築用壁材１３は段差部１３ａ上に隣接する建築用壁材１３の段差部１３ａを配置して連結される。従って、前述の図１１において左右方向に連結された建築用壁材１３の各第２端子部２３ｂが導通する。
【００４６】
尚、建築用壁材１３の対向する二辺に沿って設けられる両方の第１端子部２３ａは建築用壁材１３の中心点に対して非対称に配置される。これにより、第１端子部２３ａの正極と負極とを逆に接続することを防止できる。
【００４７】
本実施形態によると、第１実施形態と同様に、貫通孔２１ａを介した類焼を防止して防火性を向上することができる。また、所望の貫通孔２１ａ内に容易に照明部３を設置して接続することができ、利便性を向上することができる。
【００４８】
次に、図１４は第３実施形態の建築用壁材１０を備えた照明装置１を示す平面図である。説明の便宜上、前述の図１１〜図１３に示す第２実施形態と同一の部分は同一の符号を付している。本実施形態の建築用壁材１０は第２実施形態の建築用壁材１３に加え、建築用壁材１３と配線２３のパターンが異なる建築用壁材１４、１５を有している。また、コネクタ部２（図１１参照）が省かれている。その他の部分は第２実施形態と同様である。
【００４９】
照明装置１は建築用壁材１３の一側方（左側）に配線２３のパターンの異なる建築用壁材１４が連結され、他側方（右側）に更に配線２３のパターンの異なる建築用壁材１５が連結される。
【００５０】
図１５、図１６は建築用壁材１４、１５の平面図を示している。これらの図において、配線２３を破線で示すべきであるが、理解を容易にするため配線２３を実線（太線）で示している。
【００５１】
建築用壁材１４の第１ボード２１は平面視正方形（例えば、９００ｍｍ×９００ｍｍ）に形成される。第２ボード２２は第１ボード２１に対して一方向に長い平面視矩形に形成される。そして、第１、第２ボード２１、２２が図中、左端を揃えて上下方向にずれて配置される。これにより、建築用壁材１４の図中、右端には第１ボード２１に対して第２ボード２２が突出した段差部１４ａが形成される。また、建築用壁材１４の図中、上下端には第１、第２ボード２１、２２の一方が他方に対して突出した段差部１４ｂが形成される。
【００５２】
建築用壁材１４の配線２３は段差部１４ａから貫通孔２１ａの形成領域の外側で平行に延びた一対の導体がそれぞれ垂直方向に分岐して各貫通孔２１ａに沿って配される。そして、第１端子部２３ａの正極及び負極が段差部１４ａの表面に形成される。また、建築用壁材１４の図中、上下の段差部１４ｂには正極及び負極の一方の導体から延びる第１端子部２３ａが形成される。
【００５３】
建築用壁材１５の第１ボード２１は平面視正方形（例えば、９００ｍｍ×９００ｍｍ）に形成される。第２ボード２２は第１ボード２１に対して一方向に長い平面視矩形に形成される。そして、第１、第２ボード２１、２２が図中、右端を揃えて上下方向にずれて配置される。これにより、建築用壁材１５の図中、左端には第１ボード２１に対して第２ボード２２が突出した段差部１５ａが形成される。また、建築用壁材１５の図中、上下端には第１、第２ボード２１、２２の一方が他方に対して突出した段差部１５ｂが形成される。
【００５４】
建築用壁材１５の配線２３は段差部１５ａから貫通孔２１ａの形成領域の外側で平行に延びた一対の導体がそれぞれ垂直方向に分岐して各貫通孔２１ａに沿って配される。そして、第１端子部２３ａの正極及び負極が段差部１５ａの表面に形成される。また、建築用壁材１５の図中、上下の段差部１５ｂには建築用壁材１４の段差部１４ｂの第１端子部２３ａと逆の極性の導体から延びる第１端子部２３ａが形成される。
【００５５】
これにより、前述の図１４に示すように、建築用壁材１４の段差部１４ａ上に建築用壁材１３の左側の段差部１３ａを配置し、建築用壁材１３の右側の段差部１３ａ上に建築用壁材１５の段差部１５ａを配置して左右方向に連結される。また、建築用壁材１４の段差部１４ｂ上には上下方向に隣接する建築用壁材１４の段差部１４ａを配置して連結される。建築用壁材１５の段差部１５ｂ上には上下方向に隣接する建築用壁材１５の段差部１５ａを配置して連結される。従って、マトリクス状に配した建築用壁材１０（１３、１４、１５）の各第２端子部２３ｂが導通する。
【００５６】
図１７は本実施形態の照明装置１の構成を示すブロック図である。前述の図１４において上段の建築用壁材１４、１５の上端に露出する第１端子部２３ａにコンセントプラグ等のインターフェース７が直接接続される。これにより、上下方向及び左右方向の建築用壁材１０の配線２３が導通するためコネクタ部２（図１１参照）が不要となり、ＡＣ−ＤＣコンバータ４が各照明部３に設けられる。尚、前述の第１、第２実施形態において各照明部３内にＡＣ−ＤＣコンバータ４を設けてもよい。
【００５７】
本実施形態によると、第２実施形態と同様に、貫通孔２１ａを介した類焼を防止して防火性を向上することができる。また、所望の貫通孔２１ａ内に容易に照明部３を設置して接続することができ、利便性を向上することができる。
【００５８】
次に、図１８は第４実施形態の建築用壁材１０を備えた照明装置１を示す平面図である。説明の便宜上、前述の図１１〜図１３に示す第２実施形態と同一の部分は同一の符号を付している。本実施形態の建築用壁材１０は図中、縦方向に長い建築用壁材１６により形成される。また、コネクタ部２（図１１参照）は省かれている。その他の部分は第２実施形態と同様である。
【００５９】
建築用壁材１６は貫通孔２１ａが縦方向に並ぶ平面視矩形に形成され、図中、左右端には建築用壁材１３（図１２参照）と同様の段差部が設けられる。また、配線２３は段差部から貫通孔２１ａの形成領域の外側で平行に延びた一対の導体がそれぞれ垂直方向に分岐して各貫通孔２１ａに沿って配される。これにより、段差部を介して左右方向に連結された建築用壁材１６の各第２端子部２３ｂ（図１２参照）が導通する。
【００６０】
また、左右端の建築用壁材１６の端面に露出する第１端子部２３ａにコンセントプラグ等のインターフェース７を直接接続して第２端子部２３ｂに電力が供給される。
【００６１】
次に、図１９は第５実施形態の建築用壁材１０を備えた照明装置１を示す平面図である。説明の便宜上、前述の図１８に示す第４実施形態と同一の部分は同一の符号を付している。本実施形態の建築用壁材１０は図中、縦方向に長い建築用壁材１７により形成され、配線２３のパターンが第４実施形態と異なっている。また、照明装置１の一端にはコネクタ部２が設けられる。その他の部分は第４実施形態と同様である。
【００６２】
建築用壁材１７は貫通孔２１ａが図中、上下方向に並ぶ平面視矩形に形成され、複数の建築用壁材１７が左右方向に並設される。建築用壁材１７の配線２３は各貫通孔２１ａに沿って上下方向に延び、上下端に第１端子部２３ａ（図１２参照）が設けられる。これにより、図中、下部に配したコネクタ部２に設けた端子が各建築用壁材１７の第１端子部２３ａに接続される。これにより、左右方向に並設される建築用壁材１７の各第２端子部２３ｂ（図１２参照）が導通する。
【００６３】
第１〜第５実施形態において、複数の建築用壁材１０を連結して照明装置１を形成しているが、一の建築用壁材１０により照明装置１を形成してもよい。また、建築用壁材１０に複数の貫通孔２１ａをマトリクス状に設けているが、貫通孔２１ａを任意の場所に設けてもよい。
【００６４】
また、建築用壁材１０の貫通孔２１ａに光源６を有する照明部３を挿入しているが、第２端子部２３ｂに接続される他の電気器具を貫通孔２１ａに挿入してもよい。例えば、コンセント、照明用ローゼット等の電気器具を貫通孔２１ａに挿入することができる。
【産業上の利用可能性】
【００６５】
本発明によると、天井壁や間仕切り壁等の建築用壁材に利用することができる。
【符号の説明】
【００６６】
１    照明装置
２    コネクタ部
３    照明部
４    ＡＣ−ＤＣコンバータ
５    定電流回路
６    光源
７    インターフェース
８    ダミーブロック
９    野縁
１０、１１、１２  建築用壁材
２１    第１ボード
２１ａ  貫通孔
２１ｂ、２２ｂ  段差部
２２    第２ボード
２３    配線
２３ａ    第１端子部
２３ｂ    第２端子部
【図１】
2012120283.tif 000003
【図２】
2012120283.tif 000004
【図３】
2012120283.tif 000005
【図４】
2012120283.tif 000006
【図５】
2012120283.tif 000007
【図６】
2012120283.tif 000008
【図７】
2012120283.tif 000009
【図８】
2012120283.tif 000010
【図９】
2012120283.tif 000011
【図１０】
2012120283.tif 000012
【図１１】
2012120283.tif 000013
【図１２】
2012120283.tif 000014
【図１３】
2012120283.tif 000015
【図１４】
2012120283.tif 000016
【図１５】
2012120283.tif 000017
【図１６】
2012120283.tif 000018
【図１７】
2012120283.tif 000019
【図１８】
2012120283.tif 000020
【図１９】
2012120283.tif 000021